(57)【要約】【課題】遊技球が開閉式入球口に入球するよりも前のタイミングで、その開閉式入球口に入球した遊技球が特定領域側に振り分けられるか否かの演出を行うことが可能な弾球遊技機を提供する。【解決手段】始動手段１７による遊技球の検出により遊技図柄を変動表示する遊技図柄表示手段２５が特定態様となることを条件に開閉式入球口３５が所定期間開放され、その開放中に入球した遊技球を停留手段３７が一旦停留させた後で停留解除動作を行い、その遊技球を振り分け可動手段４０により特定領域と通常領域とに振り分けるように構成された弾球遊技機で、振り分け可動手段４０は特定領域へ案内する特定振り分け動作を常時一定の周期で繰り返し、停留手段３７は開閉式入球口３５の開放から一定時間後に停留解除動作を行い、始動手段１７による検出時の振り分け可動手段４０の動作に基づいて遊技球が特定領域３８側に案内される可能性を判定して演出を行う。【選択図】図１０
2010104556.tif 000002
【特許請求の範囲】
【請求項１】
始動手段（１７）が遊技球を検出することを条件に遊技図柄を変動表示する遊技図柄表示手段（２５）と、該遊技図柄表示手段（２５）による前記遊技図柄の変動後の停止図柄が特定態様となることを条件に所定期間開放される開閉式入球口（３５）と、該開閉式入球口（３５）に入球した遊技球を一旦停留させた後で停留解除動作を行う停留手段（３７）と、前記停留解除動作によって停留が解除された遊技球を特定領域（３８）側に案内する特定案内状態とそれ以外の通常案内状態とに切り換え可能な振り分け可動手段（４０）と、遊技球が前記特定領域（３８）に流入することを条件に遊技者に有利な利益状態を発生させる利益状態発生手段（８７）とを備えた弾球遊技機において、前記振り分け可動手段（４０）は、前記通常案内状態から前記特定案内状態に一定時間切り換える特定振り分け動作を常時一定の周期で繰り返すように制御され、前記停留手段（３７）は、前記遊技図柄が前記特定態様となって前記開閉式入球口（３５）が開放されてから一定時間経過後に前記停留解除動作を行うように制御され、前記始動手段（１７）が遊技球を検出して以降の所定時点での前記振り分け可動手段（４０）の動作に基づいて、その後に前記開閉式入球口（３５）に遊技球が入球した場合にその遊技球が前記特定領域（３８）側に案内される可能性が高いか否かを判定する判定手段（１０３）と、該判定手段（１０３）の判定結果に基づいて演出を行う演出手段（２１，２２）とを備えたことを特徴とする弾球遊技機。
【請求項２】
前記振り分け可動手段（４０）の動作と同期して前記特定振り分け動作と同じ周期でカウント値を出力するカウンタ（１０１）を備え、前記判定手段（１０３）は、前記始動手段（１７）が遊技球を検出して以降の所定時点での前記カウント値に基づいて前記判定を行うように構成されていることを特徴とする請求項１に記載の弾球遊技機。
【請求項３】
前記開閉式入球口（３５）に入球した遊技球が前記特定領域（３８）側に案内される可能性が高い場合における前記所定時点での前記カウント値を特定カウント値として予め記憶し、前記判定手段（１０３）は、前記所定時点でのカウント値が前記特定カウント値と一致する場合に前記特定領域（３８）に案内される可能性が高いと判定するように構成されていることを特徴とする請求項２に記載の弾球遊技機。
【請求項４】
前記遊技図柄表示手段（２５）による前記遊技図柄の変動パターンを、互いに変動時間が異なるものを含む複数種類の中から選択する変動パターン選択手段（９３）を備え、それら各変動パターンと前記特定カウント値との対応関係を予め記憶し、前記判定手段（１０３）は、前記所定時点でのカウント値が、前記変動パターン選択手段（９３）によって選択された前記変動パターンに対応する前記特定カウント値と一致する場合に前記特定領域（３８）に案内される可能性が高いと判定するように構成されていることを特徴とする請求項３に記載の弾球遊技機。
【請求項５】
前記振り分け可動手段（４０）は、前記停留手段（３７）の下流側に固定的に配置された特定領域（３８）を開閉するように構成されていることを特徴とする請求項１〜４の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
数年前の遊技機規則の改正以降、パチンコ機でいえば従来の第１種、第２種等の仕様を超えてある程度自由な仕様を採用することが可能となり、それに応じて全く新しい演出を行うことも可能となった。
【０００３】
例えば特許文献１に記載のパチンコ機は、遊技図柄が特定態様で停止することを条件に開閉式入球口を所定期間開放し、その開閉式入球口に入球した遊技球を一旦停留させた後で所定時間後にその停留を解除し、その下流側に配置された振り分け可動手段により特定領域と通常領域とに振り分けるように構成されている。そして、振り分け可動手段の動作位置を常に把握すると共に、開閉式入球口に入球した遊技球が停留したとき、その時点の振り分け可動手段の動作位置に基づいて、その遊技球が特定領域側に振り分けられる可能性の高低を判定し、その判定結果に基づく演出を行うようになっている。
【特許文献１】特開２００８−１１９１１３号公報
【発明の開示】
【発明が解決しようとする課題】
【０００４】
特許文献１に記載のパチンコ機では、遊技球が特定領域側に振り分けられる可能性に関する演出が行われるタイミングが、既に遊技球が開閉式入球口に入球して停留した時点であるため、その演出は、停留解除されて遊技球が実際に振り分けられる直前にその結果を予告するものに過ぎず、十分な演出効果が得られるとは考えにくい。
【０００５】
本発明は上記事情に鑑みてなされたものであり、遊技球が開閉式入球口に入球するよりも前のタイミングで、その開閉式入球口に入球した遊技球が特定領域側に振り分けられるか否かの演出を行うことが可能な弾球遊技機を提供することを目的とする。
【課題を解決するための手段】
【０００６】
本発明は、始動手段１７が遊技球を検出することを条件に遊技図柄を変動表示する遊技図柄表示手段２５と、該遊技図柄表示手段２５による前記遊技図柄の変動後の停止図柄が特定態様となることを条件に所定期間開放される開閉式入球口３５と、該開閉式入球口３５に入球した遊技球を一旦停留させた後で停留解除動作を行う停留手段３７と、前記停留解除動作によって停留が解除された遊技球を特定領域３８側に案内する特定案内状態とそれ以外の通常案内状態とに切り換え可能な振り分け可動手段４０と、遊技球が前記特定領域３８に流入することを条件に遊技者に有利な利益状態を発生させる利益状態発生手段８７とを備えた弾球遊技機において、前記振り分け可動手段４０は、前記通常案内状態から前記特定案内状態に一定時間切り換える特定振り分け動作を常時一定の周期で繰り返すように制御され、前記停留手段３７は、前記遊技図柄が前記特定態様となって前記開閉式入球口３５が開放されてから一定時間経過後に前記停留解除動作を行うように制御され、前記始動手段１７が遊技球を検出して以降の所定時点での前記振り分け可動手段４０の動作に基づいて、その後に前記開閉式入球口３５に遊技球が入球した場合にその遊技球が前記特定領域３８側に案内される可能性が高いか否かを判定する判定手段１０３と、該判定手段１０３の判定結果に基づいて演出を行う演出手段２１，２２とを備えたものである。
【発明の効果】
【０００７】
本発明によれば、遊技球が開閉式入球口３５に入球するよりも前のタイミングで、その開閉式入球口３５に入球した遊技球が特定領域３８側に振り分けられるか否かの演出を行うことが可能となり、極めて高い演出効果が期待できる。
【発明を実施するための最良の形態】
【０００８】
以下、本発明の実施形態を図面に基づいて詳述する。図１〜図１１は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【０００９】
前面板５には、その前側に、発射手段（図示省略）に供給するための遊技球を貯留する貯留皿６、発射手段を作動させるための発射ハンドル７等が設けられている。
【００１０】
ガラス扉４の裏側には、図２に示す遊技盤１１が着脱自在に装着されている。遊技盤１１の前面側には、発射手段から発射された遊技球を案内するガイドレール１２が環状に装着されると共に、そのガイドレール１２の内側の遊技領域１３内には、例えばその略中央に振り分け入賞手段１４が、その周囲に普通図柄始動手段１５、普通図柄表示手段２４、普通図柄用演出図柄表示手段１６、特別図柄始動手段（始動手段）１７、特別図柄表示手段（遊技図柄表示手段）２５、大入賞手段１８、普通入賞手段１９、アウト口２０等が配置されている。振り分け入賞手段１４上には、例えば振り分け結果用演出図柄表示手段  （演出手段）２１と振り分け予告演出ランプ（演出手段）２２とが設けられている。
【００１１】
普通図柄始動手段１５は、普通図柄表示手段２４による図柄変動を開始させるためのもので、遊技球が通過可能な通過ゲート等により構成されており、例えば振り分け入賞手段１４の左側に配置されている。
【００１２】
普通図柄表示手段２４は、普通図柄を変動表示するためのもので、７セグメント式等の表示手段により構成され、なるべく目立たないように例えば遊技領域１３内の周辺部に小さく設けられており、普通図柄始動手段１５が遊技球を検出することを条件に普通図柄を所定時間変動表示して、普通図柄始動手段１５による遊技球検出時に取得された当たり判定乱数値が予め定められた当たり判定値と一致する場合には所定の当たり態様で、一致しない場合には所定の外れ態様で停止させるようになっている。
【００１３】
また、例えば普通図柄表示手段２４の変動表示中に普通図柄始動手段１５が遊技球を検出した場合には、その検出時に取得された当たり判定乱数値が予め定められた上限保留個数、例えば４個を限度として記憶され、その後に普通図柄表示手段２４が変動可能となる毎に順次消化されるようになっている。なお、普通図柄には、遊技者がその種類を容易に区別できないように任意の線や点の組み合わせのような特別な意味を持たない図柄を割り当てることが望ましい。
【００１４】
普通図柄用演出図柄表示手段１６は、普通図柄表示手段２４による普通図柄の変動を演出するもので、普通図柄表示手段２４よりも目立つように例えば振り分け入賞手段１４の上側に大きく設けられている。普通図柄用演出図柄表示手段１６は、１個又は複数個、例えば３個の数字図柄等よりなる普通図柄用演出図柄を変動表示可能に構成されており、ある時は普通図柄表示手段２４による普通図柄の変動と時間的に同期して普通図柄用演出図柄を変動させ、またある時は普通図柄の変動と同期することなく普通図柄用演出図柄を独自に変動させ又はその他の演出画像を表示させるように構成されている。
【００１５】
普通図柄用演出図柄には、例えば「０」〜「９」の１０種類の数字図柄が用いられ、  「６・６・６」「７・７・７」等、３つの図柄が全て同じ図柄で揃ったものが当たり態様、少なくとも１つの図柄が異なるものが外れ態様となっており、例えば普通図柄の変動と時間的に同期して変動表示される場合には、普通図柄が当たり態様で停止する場合は当たり態様で、普通図柄が外れ態様で停止する場合は外れ態様で、夫々停止するようになっている。
【００１６】
なお、普通図柄表示手段２４による普通図柄の変動は後述する大当たり状態中も行われるが、普通図柄用演出図柄表示手段１６は大当たり状態中には所定の大当たり演出を行うようになっている。
【００１７】
特別図柄始動手段１７は、特別図柄表示手段２５による図柄変動を開始させるためのもので、開閉手段２３により遊技球が入賞可能な開状態と入賞不可能な閉状態とに切り換え可能な作動式入賞手段により構成されており、例えば振り分け入賞手段１４の下側に配置されている。この特別図柄始動手段１７は、普通図柄表示手段２４による普通図柄の変動後の停止図柄が当たり態様となって普通利益状態が発生したときに、開閉手段２３が所定時間、所定回数だけ閉状態から開状態に変化して、開状態のときに入賞した遊技球を検出するように構成されている。
【００１８】
特別図柄表示手段２５は、特別図柄を変動表示するためのもので、７セグメント式等の表示手段により構成され、なるべく目立たないように例えば遊技領域１３内の周辺部に小さく設けられており、特別図柄始動手段１７が遊技球を検出することを条件に特別図柄を所定時間変動表示して、特別図柄始動手段１７による遊技球検出時に取得された大当たり判定乱数値が予め定められた大当たり判定値と一致する場合には例えば大当たり態様に対応する「７」等の図柄で、それ以外の場合には小当たり態様に対応する図柄で夫々停止するようになっている。
【００１９】
なお、本実施形態では特別図柄表示手段２５については普通図柄表示手段２４のような保留機能、即ち例えば特別図柄表示手段２５の変動表示中に特別図柄始動手段１７に遊技球が入賞した場合にその入賞時に取得された大当たり判定乱数値等を夫々所定の上限保留個数を限度として記憶する機能を設けていないが、特別図柄表示手段２５についても保留機能を設けてもよい。
【００２０】
振り分け入賞手段１４は、図３〜図８に示すように、遊技盤１１の前面に沿って配置され且つねじ止め等により遊技盤１１に固定される前面装着板３１と、この前面装着板３１の前側に突出状に設けられる前構造体３２と、前面装着板３１の裏側に突出状に設けられ且つ装着孔１１ａに前側から嵌合する後構造体３３とで構成され、前構造体３２側に設けられ且つ開閉羽根３４により遊技球が入賞可能な開状態と入賞不可能な閉状態とに切り換え可能な開閉式入賞口（開閉式入球口）３５と、例えば後構造体３３側に設けられ且つ開閉式入賞口３５に入賞した遊技球を所定の停留位置３６で一旦停留させた後で停留解除動作を行う停留手段３７と、例えば後構造体３３側に設けられ且つ停留手段３７による停留が解除された後の遊技球を特定通路（特定領域）３８側に案内する特定案内状態と通常通路（通常領域）３９側に案内する通常案内状態とに切り換え可能な振り分け可動手段４０とを備えている。
【００２１】
前構造体３２は、前面装着板３１の上部側に設けられ且つ例えば振り分け結果用演出図柄表示手段２１，振り分け予告演出ランプ２２等が配置された庇部３２ａと、前面装着板３１の下部側に設けられる前部通路ケース３２ｂとで構成されており、それら庇部３２ａと前部通路ケース３２ｂとの間に入賞室４１が設けられ、その入賞室４１の内外を連通させるように左右一対の開閉式入賞口３５が形成されている。
【００２２】
開閉式入賞口３５は、前後方向の軸廻りに揺動可能な開閉羽根３４によって通常は閉状態（図４に一点鎖線で示す）に保たれており、特別図柄表示手段２５による特別図柄の変動後の停止図柄が小当たり態様（特定態様）となって小当たり状態が発生したとき、電磁ソレノイド等の開閉駆動手段４２が作動することにより開閉羽根３４が外向きに揺動して所定時間開状態（図４に実線で示す）となり、その上に落下した遊技球を入賞室４１側に案内するようになっている。
【００２３】
前部通路ケース３２ｂには、図３及び図４に示すように、左右の開閉式入賞口３５の内側近傍に配置され且つ開閉式入賞口３５に入賞した遊技球を検出する左右一対の入賞検出スイッチ４３と、その入賞検出スイッチ４３の下流側から左右方向中央の合流案内部４４まで遊技球を案内する左右一対の合流通路４５とが設けられており、開閉式入賞口３５に入賞した遊技球は、図３，図４に矢印で示すように左右の入賞検出スイッチ４３の何れかを通過した後、合流通路４５を経て合流案内部４４まで流下するようになっている。合流案内部４４は後ろ向き傾斜状に形成されており、合流通路４５側から流入した遊技球を後ろ向きに案内するようになっている。
【００２４】
後構造体３３は、図３に示すように、前面装着板３１の裏側に沿って遊技盤１１の板厚範囲内に配置される一層目の後部第１通路ケース４６と、遊技盤１１の背面側に沿ってその後側に配置される二層目の後部第２通路ケース４７と、その後部第２通路ケース４７の後側に設けられ且つ開閉駆動手段４２等が配置される駆動ケース４８とで構成されている。
【００２５】
後部第１通路ケース４６には、図３，図５，図７等に示すように、その上部側の左右方向中央に停留部５１が、その停留部５１の左右両側に余剰球案内部５２が設けられている。停留部５１は、合流案内部４４の後側に対応してそれよりも低い位置に設けられ、合流案内部４４により後ろ向きに案内された遊技球はこの停留部５１上に落下するようになっている。また、この停留部５１上には、上向き突出状の突条５３が前後方向に配置されており、この突条５３上が、停留手段３７により遊技球が一時停留される停留位置３６となっている。
【００２６】
停留手段３７は、その前端側に停留保持部５４が設けられた停留可動部材５５と、この停留可動部材５５を前後方向にスライド移動させる電磁ソレノイド等よりなる停留駆動手段５６とを備えており、例えば停留駆動手段５６が作動することにより停留可動部材５５が図３，図７等に示す前位置にあるとき、停留保持部５４が停留部５１上に位置するようになっている。なお、停留駆動手段５６は例えば駆動ケース４８上に配置されている。
【００２７】
停留保持部５４は、左右一対の側壁５４ａと、それら左右の側壁５４ａの前端側及び後端側を夫々左右に接続する前壁５４ｂ及び後壁５４ｃとで構成され、その内側に遊技球１個分の貫通孔５７が上下方向に形成されており、例えば停留駆動手段５６が作動して停留保持部５４が停留部５１上の停留位置３６にあるとき（図７参照）、貫通孔５７の下側が突条５３により遊技球通過不能に閉鎖され、その上側に落下してきた遊技球はその停留保持部５４内に保持されて停留位置３６に停留するようになっている。
【００２８】
なお、停留保持部５４により１個の遊技球が保持されている状態で更に後続の遊技球が流下してきた場合には、その遊技球は停留保持部５４に保持されることなく左右の余剰球案内部５２側に流下し、更にその後ろ側の余剰球通路５８を経て遊技盤１１の後側に案内されるようになっている。
【００２９】
後部第２通路ケース４７には、図３，図６，図８等に示すように、上下方向の停留球流下口６１と、この停留球流下口６１の下側に配置される上下方向の特定通路流入口６２と、この特定通路流入口６２の下側に配置される上下方向の特定通路３８と、停留球流下口６１と特定通路流入口６２との間から例えば左右方向の一方側に向けて配置される通常通路３９と、例えば停留球流下口６１の左右両側に外向きに配置される余剰球通路５８とが設けられている。
【００３０】
停留球流下口６１は、停留部５１の後側に上向き開口状に設けられており、例えば停留駆動手段５６が作動していないことにより停留手段３７の停留可動部材５５が図８に示す後位置に保持されているとき、停留保持部５４がこの停留球流下口６１上に位置するようになっている。停留保持部５４に１個の遊技球が停留している状態（図７）で例えば停留駆動手段５６の作動が停止されることにより停留可動部材５５が後ろ向きに移動し、停留保持部５４がその遊技球と共に停留球流下口６１上の停留解除位置に到達すると（図８）、停留保持部５４の貫通孔５７は突条５３による閉鎖状態から開放され、停留保持部５４内に保持されていた遊技球はその貫通孔５７を下向きに通過して停留球流下口６１内に流下する。
【００３１】
停留球流下口６１の下側には少なくとも遊技球１個分の分岐部６４が設けられ、その分岐部６４の下側に特定通路流入口６２を経て特定通路３８が、左右方向一方側に通常通路３９が夫々連通しており、特定通路流入口６２は振り分け可動手段４０により開閉可能となっている。
【００３２】
振り分け可動手段４０は、振り分け可動部材６５と、この振り分け可動部材６５を、特定通路流入口６２を閉鎖する特定通路閉鎖位置（図３に実線で、図８に二点鎖線で示す）と、その後側に待避して特定通路流入口６２を開放する特定通路開放位置との間で前後方向にスライド移動させる電磁ソレノイド等よりなる振り分け駆動手段６６とを備えている。なお、振り分け駆動手段６６は例えば駆動ケース４８上に配置されている。
【００３３】
振り分け可動部材６５は、その上面側が遊技球を例えば左右方向の一方側に案内する傾斜状に形成されており、例えば振り分け駆動手段６６が作動することにより振り分け可動部材６５が後側の特定通路開放位置にあるとき、停留球流下口６１側から流下してきた遊技球は、図８に実線矢印で示すように特定通路流入口６２を介して特定通路３８側に案内され（特定案内状態）、例えば振り分け駆動手段６６の作動が停止されて振り分け可動部材６５が前側の特定通路閉鎖位置にあるとき、停留球流下口６１側から流下してきた遊技球は、図８に一点鎖線矢印で示すように通常通路３９側に案内される（通常案内状態）ようになっている。
【００３４】
特定通路３８側、通常通路３９側に案内された遊技球は共に下流端側の特定通路排出口３８ａ、通常通路排出口３９ａから遊技盤１１の裏側に向けて排出されるが、特定通路３８側に案内された遊技球については、その特定通路３８を通過する際に特定領域検出スイッチ６７によって検出される。
【００３５】
なお、特定通路３８の前側には、特定通路流入口６２及び特定領域検出スイッチ６７を経由することなく分岐部６４と特定通路排出口３８ａとを接続するバイパス通路６８が設けられており、例えば特定通路流入口６２が開放するまで遊技球を分岐部６４で不正に停留させるべく、振り分け入賞手段１４の前側に磁石が置かれたような場合には、遊技球はその磁石に引かれて前側のバイパス通路６８側に案内されるようになっている。
【００３６】
振り分け結果用演出図柄表示手段２１は、振り分け可動手段４０による遊技球の振り分け動作を演出するもので、７セグメント式等の表示手段により例えば１個の振り分け結果用演出図柄を変動表示可能に構成されている。この振り分け結果用演出図柄表示手段２１は、通常は開閉式入賞口３５に遊技球が入賞することを条件に振り分け結果用演出図柄の変動を開始し、その遊技球が振り分け可動手段４０により特定通路３８側に振り分けられた場合に「７」等の特定図柄で、それ以外の場合に「−」等の非特定図柄で停止し、また後述する判定手段１０３により特定通路３８側に振り分けられる可能性が高いと判定された場合には、振り分け可動手段４０により遊技球が振り分けられる前に「７」等の特定図柄で停止するように構成されている。
【００３７】
振り分け予告演出ランプ２２は、後述する判定手段１０３により特定通路３８側に振り分けられる可能性が高いと判定された場合に例えば開閉式入賞口３５の開放中に点滅発光することにより、その開放中に遊技球が入賞すればその遊技球が特定通路３８側に振り分けられる可能性が高いことを予告的に報知するようになっている。
【００３８】
大入賞手段１８は、遊技球が入賞可能な開状態と入賞不可能な閉状態とに切り換え可能な開閉板６９を備えた作動式入賞手段により構成され、例えば振り分け入賞手段１４の右側に配置されている。この大入賞手段１８は、特別図柄表示手段２５による特別図柄の変動後の停止図柄が大当たり態様となるか、又は振り分け入賞手段１４の開閉式入賞口３５に入賞した遊技球が特定通路３８側に振り分けられることにより大当たり状態が発生したときに、開閉板６９が所定の開放パターンに従って前側に開放して、その上に落下した遊技球を内部へと入賞させるようになっている。
【００３９】
なお、遊技領域１３の下部側には多数の入球口が横一列に配列されており、それらのうちの１又は複数個が普通入賞手段１９で、それ以外は全てアウト口２０となっている。
【００４０】
図９は本パチンコ機の制御系のブロック図である。図９に示す遊技制御基板７０は、主に遊技盤１１側の遊技動作に関わる制御を行うためのもので、ＣＰＵ，ＲＯＭ，ＲＡＭ等により構成される普通乱数作成処理手段７１、普通始動口チェック処理手段７２、普通乱数記憶手段７３、普通図柄処理手段７４、普通図柄表示制御手段７５、普通利益状態発生手段７６、特別乱数作成処理手段８１、特別始動口チェック処理手段８２、特別乱数記憶手段８３、特別図柄処理手段８４、特別図柄表示制御手段８５、振り分け入賞制御手段８６、大当たり状態発生手段８７、振り分け予告演出制御手段８８等を備えている。
【００４１】
普通乱数作成処理手段７１は、変動後の普通図柄を当たり態様とするか否かの判定に用いる当たり判定乱数等を所定時間毎に繰り返し発生するように構成されている。普通始動口チェック処理手段７２は、普通図柄始動手段１５による遊技球の検出に基づく処理を行うもので、普通図柄始動手段１５が遊技球を検出することに基づいて、普通乱数作成処理手段７１で作成された当たり判定乱数値を１個取得し、その当たり判定乱数値を予め定められた上限保留個数（例えば４個）を限度として普通乱数記憶手段７３に記憶させるように構成されている。
【００４２】
普通図柄処理手段７４は、普通図柄の変動表示に関する処理を行うもので、普通図柄表示手段２４が変動表示可能な状態となり且つ普通乱数記憶手段７３に１個以上の当たり判定乱数値が記憶されていること（普通保留個数が１以上であること）を条件に、普通乱数記憶手段７３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００４３】
普通図柄表示制御手段７５は、普通図柄処理手段７４による普通図柄処理に基づいて普通図柄表示手段２４の表示制御を行うもので、普通図柄表示手段２４が変動表示可能な状態となり且つ普通乱数記憶手段７３に１個以上の当たり判定乱数値が記憶されていること（普通保留個数が１以上であること）を条件に普通図柄表示手段２４による普通図柄の変動を開始させ、普通図柄処理手段７４で選択された変動時間が経過することに基づいて、同じく普通図柄処理手段７４で選択された停止図柄で普通図柄の変動を停止させるようになっている。
【００４４】
普通利益状態発生手段７６は、普通図柄処理手段７４による判定結果が当たり判定となり、普通図柄表示手段２４の変動後の停止図柄が当たり態様となったときに、特別図柄始動手段１７の開閉手段２３を所定時間開状態に変化させるようになっている。
【００４５】
特別乱数作成処理手段８１は、変動後の特別図柄を大当たり態様、小当たり態様の何れにするかについての判定に用いる大当たり判定乱数、特別図柄の変動後の停止図柄の選択に用いる特別停止図柄選択乱数、特別図柄の変動パターンの選択に用いる変動パターン選択乱数、その他の所定の乱数を繰り返し発生する特別乱数作成処理を行うように構成されている。
【００４６】
特別始動口チェック処理手段８２は、特別図柄始動手段１７への遊技球の入賞に基づく処理を行うもので、特別図柄始動手段１７が遊技球を検出することに基づいて、特別乱数作成処理手段８１で作成された大当たり判定乱数値等を取得し、予め定められた上限保留個数（例えば各４個）を限度として特別乱数記憶手段８３に記憶させるように構成されている。
【００４７】
特別図柄処理手段８４は、特別図柄の変動表示に関する処理を行うもので、大当たり判定手段９１、特別停止図柄選択手段９２、変動パターン選択手段９３等を備えている。大当たり判定手段９１は、乱数抽選により変動後の特別図柄を大当たり態様、小当たり態様の何れにするかについての判定を行うもので、特別図柄表示手段２５が変動表示可能な状態となり且つ特別乱数記憶手段８３に１個以上の大当たり判定乱数値が記憶されていること（特別保留個数が１以上であること）を条件に、特別乱数記憶手段８３に最も早く記憶された大当たり判定乱数値を取り出し、その大当たり判定乱数値が予め定められた大当たり判定値と一致するか否かに応じて大当たり／小当たりの判定を行うように構成されている。
【００４８】
特別停止図柄選択手段９２は、特別図柄の変動後の停止図柄を選択するもので、大当たり判定手段９１による大当たり／小当たりの判定結果と、特別乱数作成処理手段８１より取得した特別停止図柄選択乱数とに基づいて、大当たり判定の場合には１又は複数の大当たり態様の何れかを、小当たり判定の場合には１又は複数の小当たり態様の何れかを選択するように構成されている。
【００４９】
変動パターン選択手段９３は、特別図柄の変動パターンを選択するもので、大当たり判定手段９１による大当たり／小当たりの判定結果と、特別乱数作成処理手段８１より取得した変動パターン選択乱数とに基づいて、大当たり判定の場合には１又は複数種類の大当たり変動パターンの何れかを、小当たり判定の場合には１又は複数種類の小当たり変動パターンの何れかを夫々選択するように構成されている。
【００５０】
なお本実施形態では、図１１に示すように、小当たり変動パターンとしてＰ０〜Ｐ９の１０種類が設けられており、それらは全て異なる変動時間に設定されているものとする。
【００５１】
特別図柄表示制御手段８５は、特別図柄表示手段２５の表示制御を行うもので、特別図柄処理手段８４による特別図柄処理に基づいて特別図柄表示手段２５による特別図柄の変動を開始させ、変動パターン選択手段９３で選択された変動パターンに対応する変動時間が経過することに基づいて、特別停止図柄選択手段９２で選択された停止図柄で特別図柄の変動を停止させるようになっている。
【００５２】
振り分け入賞制御手段８６は、振り分け入賞手段１４の動作を制御するもので、開閉制御手段９４、停留制御手段９５、振り分け制御手段９６等を備えている。開閉制御手段９４は、開閉羽根３４を駆動する開閉駆動手段４２を制御するもので、大当たり判定手段９１による判定結果が小当たり判定となり、特別図柄表示手段２５による特別図柄の変動後の停止図柄が小当たり態様となったときに、開閉駆動手段４２を所定時間作動させることにより、閉状態に保持されていた開閉羽根３４を所定時間開状態に切り換えて開閉式入賞口３５を開放するようになっている。
【００５３】
停留制御手段９５は、停留可動部材５５を駆動する停留駆動手段５６を制御するもので、例えば開閉式入賞口３５の開放と略同時に停留駆動手段５６を作動させることにより、停留可動部材５５の停留保持部５４を停留球流下口６１上の停留解除位置からその前側の停留部５１上の停留位置３６まで移動させて保持し（図７）、それから一定時間経過後に停留駆動手段５６の作動を停止することにより、停留可動部材５５の停留保持部５４を停留部５１上からその後側の停留球流下口６１上の停留解除位置まで移動させる（停留解除動作）（図８）ようになっている。
【００５４】
振り分け制御手段９６は、振り分け可動部材６５を駆動する振り分け駆動手段６６を制御するもので、通常通路３９側に遊技球を案内する通常案内状態から特定通路３８側に遊技球を案内する特定案内状態に一定時間切り換える特定振り分け動作が常時一定の周期で繰り返されるように、例えば電源投入以降、一定の周期で振り分け駆動手段６６を所定時間作動させるように構成されている。
【００５５】
大当たり状態発生手段（利益状態発生手段）８７は、大当たり判定手段９１による判定結果が大当たり判定となって特別図柄が大当たり態様で停止するか、又は振り分け入賞手段１４の開閉式入賞口３５に入賞した遊技球が特定通路３８側に振り分けられて特定領域検出スイッチ６７がその遊技球を検出したときに、開閉板６９が所定の開放パターンに従って前側に開放する大当たり状態を発生させるように構成されている。なお本実施形態では、不正行為による大当たり発生を防止すべく、図１０に示すように停留解除動作の前後一定期間に限って特定領域検出スイッチ６７による検出を有効化するように構成されている。
【００５６】
振り分け予告演出制御手段８８は、振り分け結果用演出図柄表示手段２１、振り分け予告演出ランプ２２による振り分け予告演出を制御するもので、振り分け動作カウンタ１０１、判定情報記憶手段１０２、判定手段１０３、演出制御手段１０４等を備えている。振り分け動作カウンタ（カウンタ）１０１は、振り分け可動手段４０の動作と同期して特定振り分け動作と同じ周期でカウント値を出力するものである。本実施形態では、図１０に示すように、振り分け可動手段４０による特定振り分け動作の周期を１０分割して０から９までのカウント値を周期的に出力し、毎回９カウント目に振り分け可動手段４０が特定振り分け動作を行うように設定している。なお、以下の説明で単にカウントという場合にはこの振り分け動作カウンタ１０１によるカウントを指すものとする。
【００５７】
判定情報記憶手段１０２は、開閉式入賞口３５に入賞した遊技球が特定通路３８側に高い確率で振り分けられる場合における所定時点（ここでは特別図柄始動手段１７による遊技球検出時点）でのカウント値である特定カウント値と小当たり変動パターンとの対応関係を規定した判定情報を予め記憶するものである。
【００５８】
本実施形態では、図１０に示すように、停留手段３７による停留解除動作は、開閉式入賞口３５の開放から６カウント後に実行されるように構成されており、またその停留解除動作のタイミングが振り分け可動手段４０による特定振り分け動作の１カウント前（即ち振り分け動作カウンタ１０１のカウント値が８の時点）のとき、停留解除後の遊技球が特定通路３８側に高い確率で振り分けられるものとする。即ち、振り分け動作カウンタ１０１のカウント値が２になる時点で開閉式入賞口３５が開放されれば、その開閉式入賞口３５に入賞した遊技球は高い確率で特定通路３８側に案内される。
【００５９】
また、開閉式入賞口３５が開放されるのは、特別図柄始動手段１７による遊技球検出後に開始される小当たり変動パターンによる特別図柄の変動終了時点であることから、例えば振り分け動作カウンタ１０１のカウント値が２の時点から更に小当たり変動パターンによる変動時間に対応するカウント値＋α（ここではα＝１カウントとする）だけ遡った時点のカウント値が特定カウント値となる。
【００６０】
ここで、本実施形態では小当たり変動パターンとしてＰ０〜Ｐ９の１０種類が設けられており、各小当たり変動パターンＰ０〜Ｐ９の変動時間を振り分け動作カウンタ１０１のカウント値で表すと図１１に示すようになっている。従って、判定情報は図１１に示すように設定され、例えば小当たり変動パターンＰ０（変動時間１１カウント）に対応する特定カウント値は０、小当たり変動パターンＰ９（変動時間２カウント）に対応する特定カウント値は９となる。
【００６１】
判定手段１０３は、特別図柄始動手段１７が遊技球を検出することに基づいて、その後に開閉式入賞口３５に遊技球が入賞した場合にその遊技球が特定通路３８側に振り分けられる可能性が高いか否かを判定するもので、変動パターン選択手段９３によって選択された変動パターンが小当たり変動パターンであった場合に、その小当たり変動パターンと、所定時点（ここでは特別図柄始動手段１７による遊技球検出時点）での振り分け動作カウンタ１０１によるカウント値と、判定情報記憶手段１０２に記憶されている判定情報とに基づいて、振り分け動作カウンタ１０１から取得したカウント値が、変動パターン選択手段９３によって選択された小当たり変動パターンに対応する特定カウント値と一致する場合に特定通路３８側に振り分けられる可能性が高いと判定するように構成されている。
【００６２】
演出制御手段１０４は、振り分け結果用演出図柄表示手段２１による図柄変動制御、及び振り分け予告演出ランプ２２の発光制御を行うもので、通常は開閉式入賞口３５に遊技球が入賞することを条件に振り分け結果用演出図柄表示手段２１による振り分け結果用演出図柄の変動を開始させ、その遊技球が振り分け可動手段４０により特定通路３８側に振り分けられた場合に「７」等の特定図柄で、それ以外の場合に「−」等の非特定図柄で停止させ、また判定手段１０３により特定通路３８側に振り分けられる可能性が高いと判定された場合には、振り分け可動手段４０により遊技球が振り分けられる前までの所定のタイミングで、振り分け結果用演出図柄を「７」等の特定図柄で停止させ、またそれと略同じ又はそれよりも前のタイミングで振り分け予告演出ランプ２２を点滅発光させることにより、この開閉式入賞口３５の開放中に入賞した遊技球は特定通路３８側に振り分けられる可能性が高いことを遊技者に報知するように構成されている。
【００６３】
なお、振り分け予告演出ランプ２２による演出を開始するタイミングは、所定時点（ここでは特別図柄始動手段１７による遊技球検出時点）から当該遊技球が振り分け可動手段４０により振り分けられる前までであってもよいし、所定時点から当該遊技球が開閉式入賞口３５に入賞する前までであってもよい。
【００６４】
以上のような本パチンコ機によれば、特別図柄始動手段１７が遊技球を検出し、変動パターン選択手段９３が小当たり変動パターンＰ０〜Ｐ９の何れかを選択すると、判定手段１０３は、その時点のでの振り分け動作カウンタ１０１によるカウント値を取得すると共に、判定情報記憶手段１０２に記憶されている判定情報から変動パターン選択手段９３によって選択された小当たり変動パターンに対応する特定カウント値を読み出す。
【００６５】
そして判定手段１０３は、振り分け動作カウンタ１０１から取得したカウント値が、判定情報から読み出した特定カウント値と一致すれば、入賞した遊技球が特定通路３８側に振り分けられる可能性が高いと判定する。例えば、変動パターン選択手段９３によって小当たり変動パターンＰ１が選択された場合には、振り分け動作カウンタ１０１から取得したカウント値が１の場合に特定通路３８側に振り分けられる可能性が高いと判定する。
【００６６】
そして、判定手段１０３により特定通路３８側に振り分けられる可能性が高いと判定された場合には、例えば特別図柄表示手段２５の変動中に振り分け予告演出ランプ２２が点滅発光される。これにより、遊技者は遊技球が開閉式入賞口３５に入賞するよりも前の例えば開閉式入球口３５の開放中に、その開閉式入賞口３５に入賞した遊技球が特定通路３８側に振り分けられる可能性が高いことを知ることができる。
【００６７】
また、特別図柄表示手段２５の変動終了後に開閉式入賞口３５が開放し、この開閉式入賞口３５に遊技球が入賞することを条件に振り分け結果用演出図柄表示手段２１による振り分け結果用演出図柄の変動が開始され、通常時にはその遊技球が振り分け可動手段４０により特定通路３８側に振り分けられた場合に「７」等の特定図柄で、それ以外の場合に「−」等の非特定図柄で停止するが、判定手段１０３により特定通路３８側に振り分けられる可能性が高いと判定された場合には、振り分け可動手段４０により遊技球が振り分けられる前に「７」等の特定図柄で停止するように構成されているため、これによっても、遊技者は開閉式入賞口３５に入賞した遊技球が特定通路３８側に振り分けられる可能性が高いことを知ることができる。
【００６８】
以上説明したように、本実施形態のパチンコ機では、振り分け可動手段４０が、通常案内状態から特定案内状態に一定時間切り換える特定振り分け動作を常時一定の周期で繰り返すように制御され、停留手段３７が、特別図柄が小当たり態様となって開閉式入賞口３５が開放されてから一定時間経過後に停留解除動作を行うように制御され、振り分け可動手段４０の動作と同期して特定振り分け動作と同じ周期でカウント値を出力する振り分け動作カウンタ１０１と、特別図柄始動手段１７が遊技球を検出して以降の所定時点、例えば特別図柄始動手段１７による遊技球検出時点でのカウント値に基づいて、その後に開閉式入賞口３５に遊技球が入賞した場合にその遊技球が特定通路３８側に案内される可能性が高いか否かを判定する判定手段１０３と、この判定手段１０３の判定結果に基づいて演出を行う振り分け結果用演出図柄表示手段２１、振り分け予告演出ランプ２２とを備えているため、遊技球が開閉式入賞口３５に入賞するよりも前のタイミングで、その開閉式入賞口３５に入賞した遊技球が特定通路３８側に振り分けられるか否かの演出を行うことが可能となり、極めて高い演出効果が期待できる。
【００６９】
特別図柄表示手段２５による特別図柄の変動パターンを、互いに変動時間が異なるものを含む複数種類の中から選択する変動パターン選択手段９３を備え、それら各変動パターンと特定カウント値との対応関係を予め記憶し、判定手段１０３は、所定時点でのカウント値が、変動パターン選択手段９３によって選択された変動パターンに対応する特定カウント値と一致する場合に特定通路３８に案内される可能性が高いと判定するように構成されているため、特定通路３８に案内される可能性が高いか否かの判定を容易且つ正確に行うことが可能である。
【００７０】
図１２及び図１３は本発明の第２の実施形態を例示し、何れの小当たり変動パターンの特定カウント値にも属しないカウント値が存在する場合の具体例を示している。
【００７１】
本実施形態では、図１２に示すように、振り分け可動手段４０による特定振り分け動作が６秒周期で０．６秒間、繰り返し行われるようになっており、振り分け動作カウンタ１０１は、この振り分け可動手段４０による特定振り分け動作の周期（６秒）に対応して０から６（＝０）までのカウント値を例えば０．１秒単位で周期的に出力するように構成されている。
【００７２】
また、本実施形態では、図１２に示すように、特別図柄始動手段１７が遊技球を検出することに基づいて特別図柄表示手段２５が所定の小当たり変動パターンで変動し、その変動終了時点で開閉式入賞口３５が１．６秒開放すると共にその開放から０．５秒後に停留手段３７が停留解除位置から停留位置に移動して４．５秒間維持された後で０．２秒間停留解除動作が行われるようになっている。これにより、その開閉式入賞口３５の開放中に入賞した遊技球は、その停留手段３７による停留解除動作から例えば０．２秒後に特定通路流入口６２に到達するため、そのタイミングが特定振り分け動作と一致すれば特定通路３８側に振り分けられる。
【００７３】
ここで、本実施形態では、図１３に示すように１２種類の小当たり変動パターンＱ１〜Ｑ１２が設けられており、夫々異なる変動時間に設定されている。そして、各小当たり変動パターンには、夫々０．２秒の幅を持たせた特定カウント値が設定されており、例えば小当たり変動パターンＱ１の場合、図１２，図１３に示すようにカウント値３（秒）を中心として前後０．１カウントの幅、即ち２．９〜３．１カウントの範囲が特定カウント値に設定されている。
【００７４】
また、その他の小当たり変動パターンＱ２〜Ｑ１２は、変動時間が夫々０．５秒ずつ異なっているため、特定カウント値の範囲も０．５カウントずつシフトしている。従って、例えば２．８，２．７，２．３，２．２等のカウント値は何れの小当たり変動パターンの特定カウント値にも属しておらず、これらのカウント値のときに特別図柄始動手段１７に遊技球が入賞した場合には、どの小当たり変動パターンが選択されたとしても判定手段１０３により特定通路３８側に振り分けられる可能性が高いと判定されることはなく、また実際に遊技球が特定通路３８側に振り分けられることもない。
【００７５】
以上、本発明の実施形態について詳述したが、本発明はこれらの実施形態に限定されるものではなく、本発明の趣旨を逸脱しない範囲で種々の変更が可能である。例えば、特定カウント値は、特定領域３８側に振り分けられる可能性が１００％の場合のカウント値である必要はなく、特定領域３８側に振り分けられる可能性が一定以上（例えば約５０％以上）となるように特定カウント値に一定の幅を持たせてもよい。
【００７６】
例えば遊技図柄の変動時間が１種類しかない場合には、特定カウント値も一種類となるため、その特定カウント値を予め記憶して、判定手段１０３は所定時点のカウント値がその特定カウント値と一致する場合に特定領域３８側に案内される可能性が高いと判定するように構成すればよい。
【００７７】
判定手段１０３の判定結果に基づいて演出を行う演出手段２２は、ランプの他、液晶等の画像表示手段、音声出力手段、可動物、或いはそれらの組み合わせ等、どのようなものを採用してもよい。
【００７８】
また、判定手段１０３が特定領域３８側に案内される可能性が高いと判定した場合以外のときに演出手段２２によりいわゆるガセの演出を行うようにしてもよい。また、演出手段２２による演出を所定期間中、例えば特定の遊技状態中にのみ行うように構成してもよい。
【００７９】
停留手段３７、振り分け可動手段４０等の構成は任意であり、実施形態で示した以外の種々の構成を採用できる。
【００８０】
例えば振り分け予告演出制御手段８８は遊技制御基板７０以外の遊技制御基板上に設けてもよい。
【００８１】
一定条件の成立により、大当たり状態の終了後の所定期間に、特別図柄表示手段２５による特別図柄の変動時間を通常よりも短縮する時短状態や、大当たり確率を通常よりも高くする高確率状態等の特別遊技状態を発生させるように構成してもよい。特別図柄表示手段２５による特別図柄の変動時間を通常よりも短縮すれば、各小当たり変動パターンの特定カウント値は変動時間の短縮分だけシフトする。従って、例えば図１３の小当たり変動パターンＱ１の変動時間が３．５秒から１．５秒に短縮されると、特定カウント値の範囲は２．９〜３．１から４．９〜５．１にシフトされる。
【００８２】
また、本発明はパチンコ機に限らず、アレンジボール機、雀球遊技機等の各種の弾球遊技機においても同様に実施することが可能である。
【図面の簡単な説明】
【００８３】
【図１】本発明の第１の実施形態におけるパチンコ機の全体斜視図である。
【図２】遊技盤の正面図である。
【図３】振り分け入賞手段の左右方向中央における側面断面図である。
【図４】図３におけるＡ矢視断面図である。
【図５】図３におけるＢ矢視断面図である。
【図６】図３におけるＣ矢視断面図である。
【図７】停留手段が停留位置にあるときの振り分け入賞手段の断面斜視図である。
【図８】停留手段が停留解除位置にあるときの振り分け入賞手段の断面斜視図である。
【図９】制御系のブロック図である。
【図１０】振り分け動作カウンタのカウント動作と振り分け可動手段、特別図柄始動手段、特別図柄表示手段、開閉式入賞口、停留手段等の動作との対応関係の一例を示すタイムチャートである。
【図１１】小当たり変動パターンと特定カウント値との対応関係を示す判定情報の一例を示す図である。
【図１２】本発明の第２の実施形態における振り分け動作カウンタのカウント動作と振り分け可動手段、特別図柄始動手段、特別図柄表示手段、開閉式入賞口、停留手段等の動作との対応関係の一例を示すタイムチャートである。
【図１３】小当たり変動パターンと特定カウント値との対応関係を示す判定情報の一例を示す図である。
【符号の説明】
【００８４】
１７  特別図柄始動手段（始動手段）
２１  振り分け結果用演出図柄表示手段（演出手段）
２２  振り分け予告演出ランプ（演出手段）
２５  特別図柄表示手段（遊技図柄表示手段）
３５  開閉式入賞口（開閉式入球口）
３７  停留手段
３８  特定通路（特定領域）
４０  振り分け可動手段
８７  大当たり状態発生手段（利益状態発生手段）
９３  変動パターン選択手段
１０１  振り分け動作カウンタ（カウンタ）
１０３  判定手段
【図１】
2010104556.tif 000003
【図２】
2010104556.tif 000004
【図３】
2010104556.tif 000005
【図４】
2010104556.tif 000006
【図５】
2010104556.tif 000007
【図６】
2010104556.tif 000008
【図７】
2010104556.tif 000009
【図８】
2010104556.tif 000010
【図９】
2010104556.tif 000011
【図１０】
2010104556.tif 000012
【図１１】
2010104556.tif 000013
【図１２】
2010104556.tif 000014
【図１３】
2010104556.tif 000015